(57)【要約】【課題】  データ収集装置の盗難防止機能を向上する。【解決手段】  操作パネルを覆い隠すように設置した開閉自在なドア４０の開閉動作を検知する開閉ドアセンサ３９と、開閉ドアセンサ３９が検知した開閉データを記憶するデータ記憶部３５と、データ記憶部３５が記憶した開閉履歴を表示するデータ表示部３６を有する。【選択図】      図３
2008304199.tif 000002
【特許請求の範囲】
【請求項１】
操作部を覆い隠すように設置した開閉自在な開閉構造部を有し、屋外の環境情報を収集するデータ収集装置において、
前記開閉構造部の開閉動作を検知する検知手段と、
該検知手段が検知した開閉データを記憶する記憶手段と、
該記憶手段が記憶した開閉履歴を表示する表示手段と
を有することを特徴とするデータ収集装置。
【請求項２】
前記記憶手段が記憶した開閉履歴に基づいて所定の間隔で開閉回数を演算する演算手段と、
該演算手段が演算した開閉回数が所定数を超えると所定の警報を表示する表示手段と
を有することを特徴とする請求項１に記載のデータ収集装置。
【発明の詳細な説明】
【技術分野】
【０００１】
本発明は、データ収集装置に係り、特に、屋外の環境情報を収集するデータ収集装置に関する。
【背景技術】
【０００２】
近年、さまざまな分野で情報通信技術を応用している。たとえば、データ収集システムでは、遠隔地に、周囲の環境情報を収集するデータ収集装置を設置し、電気通信回線を経由することで、自宅で、収集したデータを閲覧することができるようになった。具体的には、遠隔地にある農地または農場に、農作物の生育環境に関したデータ（以降、環境データと略記）を収集するデータ収集装置を設置し、電気通信回線を経由することで、自宅で、農作物の生育情報を閲覧することができる下記の特許文献１または２に記載のデータ収集システムが公知である。
【特許文献１】特開２００６−  ４２７２１号公報
【特許文献２】特開２００６−１０５７４５号公報
【発明の開示】
【発明が解決しようとする課題】
【０００３】
ところで、上記のようなデータ収集システムは、データ収集装置を遠隔地に設置するので、不審者による盗難の危険がある。この対策として、特許文献２に記載のデータ収集装置では、内蔵のカメラを用いて不審者を探知している。しかし、上記の対策では、不審者が防犯カメラの存在を認識して映らないような処置を講じた場合には効果がない。
【０００４】
以上にかんがみて、本発明は、盗難防止機能が向上したデータ収集装置を提供することを目的とする。
【課題を解決するための手段】
【０００５】
請求項１にあっては、上記の課題を解決するために、操作部を覆い隠すように設置した開閉自在な開閉構造部の開閉動作を検知する検知手段と、この検知手段が検知した開閉動作に関したデータ（以降、開閉データと略記）を記憶する記憶手段と、この記憶手段が記憶した開閉履歴を表示する表示手段とを有する。
【０００６】
請求項２にあっては、上記の課題を解決するために、上記の記憶手段が記憶した開閉履歴に基づいて所定の間隔で開閉回数を演算する演算手段と、この演算手段が演算した開閉回数が所定数を超えると所定の警報を表示する表示手段とを有する。
【発明の効果】
【０００７】
請求項１の発明によれば、データ収集装置の操作部を覆い隠す開閉構造部の開閉履歴を表示する。したがって、操作部での不審者の入力操作を把握することができるため、データ収集装置の盗難機能が向上する。
【０００８】
請求項２の発明によれば、データ収集装置の操作部を覆い隠す開閉構造部の開閉回数が所定数を超えると所定の警報を表示する。したがって、この操作部で入力操作を試みた不審者の存在を知ることができるため、データ収集装置の盗難機能が向上する。
【発明を実施するための最良の形態】
【０００９】
以下、本発明の実施形態について図面を参照しながら詳細に説明する。
【００１０】
図１は、本発明に係る、農作物育成支援システム１の全体構成を示すブロック図である。農作物育成支援システム１は、遠隔地にある農地または農場に設置したデータ収集装置３と、電気通信回線５に接続することができる場所に設置した集計解析サーバ・コンピュータ４（以降、集計解析サーバ４と略記）と、農地または農場の管理者が利用することができる場所に設置したクライアント・コンピュータ２（以降、クライアント端末２と略記）とを構成要素としている。なお、データ収集装置３と、集計解析サーバ４と、クライアント端末２とは、電気通信回線５を経由して相互に通信している。また、データ収集装置３は、所定のアクセスポイント（図示しない）を経由して電気通信回線に接続している。以下、各構成要素について説明する。
【００１１】
データ収集装置３は、環境データを収集して集計解析サーバ４へ送信する。また、データ収集装置３は、環境データをクライアント端末２に提供する。なお、データ収集装置３については、のちほど、さらに詳しく説明する。
【００１２】
集計解析サーバ４は、データ収集装置３が収集した環境データを受信して、管理者ごとに所定の形式で集計する。また、集計解析サーバ４は、所定の方式のもとに環境データを解析する。この解析によって、集計解析サーバ４は、農作物に関した生育情報を抽出してクライアント端末２に提供する。なお、集計解析サーバ４は、ワークステーションなどの、はん用情報処理装置を用いている。
【００１３】
クライアント端末２は、データ収集装置３が収集した環境データまたは集計解析サーバ４が抽出した生育情報を読み込んで表示または保存する。また、クライアント端末２は、データ収集装置３または集計解析サーバ４を遠隔制御する。なお、クライアント端末２は、パーソナル・コンピュータまたは携帯電話、ＰＤＡ（Personal Digital Assistant）などの、はん用情報処理装置を用いている。
【００１４】
以上の構成要素によって、農作物育成支援システム１は、遠隔地にある農地または農場での環境データを収集して集計または解析し、農地または農場の管理者に生育情報を提供する。
【００１５】
図２は、データ収集装置３の外観を示す斜視図である。データ収集装置３は、本体ユニット３０を主体とし、支柱３０ａが本体ユニット３０から独立して存在している。なお、支柱３０ａには、カメラ・ユニット６または温度・湿度センサ７が上部に設置してある。
【００１６】
図３は、本体ユニット３０の主体構成を機能別に示したブロック図である。本体ユニット３０は、内部に設置した、センサ・インタフェース部３１（以降、センサＩ／Ｆ部３１と略記）と、データ収集部３２と、データ演算部３３と、データ制御部３４と、データ記憶部３５と、無線通信制御部３７と、無線通信部３８と、本体ハウジングに設置したデータ表示部３６とを構成要素としている。以下、各構成要素について説明する。
【００１７】
センサＩ／Ｆ部３１は、センサとデータ収集部３２との間での通信を制御する。
【００１８】
センサは、環境データを検出してデータ収集部３２へ出力する。具体的には、温度・湿度センサ７０または土壌温度センサ７１、土壌水分センサ７２、土壌ＥＣセンサ７３、日射量センサ７４、ＣＯ２センサ７５を用いている。温度・湿度センサ７０は、空気の温度または湿度を検出する。具体的には、温度検出に白金測温度抵抗体型を、湿度検出に静電容量式高分子ポリマ型を用いている。土壌温度度センサ７１は、農地または農場の土壌温度度を検出する。土壌水分センサ７２は、農地または農場の度胸水分を検出する。具体的には、電気抵抗型を用いている。土壌ＥＣセンサ７３は、農地または農場の土壌中に含む肥料の含有傾向を検出する。具体的には、電気伝導度を用いている。日射量センサ７４は、地表面上の全天日射量を検出する。具体的には、熱電対型を用いている。ＣＯ２センサ７５は、空気中のＣＯ２濃度を検出する。具体的には、固体高分子型を用いている。
【００１９】
データ収集部３２は、センサが検出した環境データを所定の周期で自動的に収集して、取得日時とともにデータ演算部３３へ出力する。
【００２０】
データ演算部３３は、データ収集部３２が収集した環境データを所定の形式に変換してデータ制御部３４へ出力する。
【００２１】
データ制御部３４は、データ演算部３３が変換した環境データを、データ記憶部３５に記憶させ、データ表示部３６に表示させる。また、データ制御部３４は、カメラ・ユニット６に、農作物の生育に関した画像（以降、生育画像と略記）を撮像させ、データ記憶部３５に記憶させる。さらに、データ制御部３４は、無線通信制御部３７の要求に応じて、データ記憶部３５が記憶した環境データまたは生育画像を読み込んで無線通信制御部３７へ出力する。
【００２２】
カメラ・ユニット６は、生育画像を撮像する。具体的には、ＣＣＤ型またはＣ−ＭＯＳ型のイメージ・センサが内蔵したカメラ６０を備えている。
【００２３】
データ記憶部３５は、データ制御部３４の指示で、データ演算部３３が変換した環境データまたはカメラ・ユニット６が撮像した生育画像を所定の方式のもとで記憶する。具体的には、外部メモリを用いている。
【００２４】
無線通信制御部３７は、データ記憶部３５の所定範囲をデータ制御部３４に要求し、取得した環境データまたは生育画像を集計解析サーバ４へ送信する。具体的には、集計解析サーバ４に未送信の環境データまたは生育画像などを、データ制御部３４に要求して送信する。また、無線通信制御部３７は、クライアント端末２からの要求に応じて、データ記憶部３５の指定範囲をデータ制御部３４に要求し、取得した環境データまたは生育画像をクライアント端末２へ送信する。
【００２５】
無線通信部３８は、無線通信制御部３７と所定のアクセス・ポイント（図示しない）との間での通信を制御する。具体的には、アンテナを用いている。
【００２６】
データ表示部３６は、データ制御部３４の指示で、データ演算部３３が変換した環境データまたはカメラ・ユニット６が撮像した生育画像を表示する。具体的には、液晶ディスプレイを用いている。
【００２７】
以上の構成によって、データ収集装置３は、遠隔地にある農地または農場で、環境データまたは生育画像を収集して集計解析サーバ４へ送信する。
【００２８】
本発明を適用した本体ユニットは、上記の構成要素に加え、本体ハウジングに設置したドア開閉センサ３９を備える。以下、各構成要素について説明する。
【００２９】
ドア開閉センサ３９は、ドア４０の開閉動作を検知してデータ収集部３２へ出力する。
【００３０】
センサＩ／Ｆ部３１は、ドア開閉センサ３９とデータ収集部３２との間での通信を制御する。
【００３１】
データ収集部３２は、ドア開閉センサ３９が検出した開閉データを所定の周期で自動的に収集して、取得日時とともにデータ演算部３３へ出力する。
【００３２】
データ演算部３３は、データ収集部３２が収集した開閉データを所定の形式に変換してデータ制御部３４へ出力する。また、データ制御部３４の指示で、データ演算部３３は、データ記憶部３５が記憶した開閉履歴を所定の間隔で開閉回数を演算する。
【００３３】
データ制御部３４は、データ演算部３３が変換した開閉データを、ドア４０が開または閉動作するごとに、データ記憶部３５に記憶させる。この指示によって、ドア４０の開閉履歴を生成する。データ制御部３４は、また、データ記憶部３５が記憶した開閉履歴をデータ表示部３６に表示させる。さらに、データ制御部３４は、データ記憶部３５が記憶した開閉履歴を読み込んでデータ演算部３３へ出力し、データ演算部３３に所定の時間間隔で開閉回数を演算させる。
【００３４】
上記の開閉回数が所定数を超えると、データ制御部３４は、データ表示部３６に所定の警報を表示させる。
【００３５】
データ記憶部３５は、データ制御部３４の指示で、データ演算部３３が変換した開閉データを所定の方式のもとに記憶する。この記憶によって、開閉データは、ドア４０の開閉履歴となる。換言すれば、操作パネルの操作履歴である。
【００３６】
データ表示部３６は、データ制御部３４の指示で、データ記憶部３５が記憶した開閉履歴を所定の形式で表示する。具体的には、図５に示すように、開閉日時または開閉状態などを表示している。データ表示部３６は、また、データ制御部３４の指示で、データ演算部３３が算出した開閉回数が所定数を超えると所定の警報を表示する。
【００３７】
図４は、ドア４０の開閉回数が所定数を越えた場合の警報処理を示すフローチャートである。警報処理は、所定の期間内におけるドア４０の開閉回数が所定数を超えた場合に、データ制御部３４の指示で、データ記憶部３５が記憶した開閉履歴をデータ表示部が表示する。以下、警報処理の流れを説明する。
【００３８】
ステップＳ１において、データ制御部３４は、ドア４０が「開閉したか」を判断して、「開閉した」と判断するとステップＳ２へ移行し、「開閉してない」と判断するとステップＳ１へ戻す。
【００３９】
ステップＳ２において、データ制御部３４は、データ演算部３３に時間計測を開始させ、ステップＳ３へ移行する。
【００４０】
ステップＳ３において、データ制御部３４は、時間計測を開始してからの時間が所定の時間を「経過したか」を判断して、「経過してない」と判断するとステップＳ４へ移行し、「経過した」と判断するとステップＳ１へ戻す。
【００４１】
ステップＳ４において、データ制御部３４は、ドア４０が「開閉したか」を判断して、「開閉した」と判断するとステップＳ５へ移行し、「開閉してない」と判断するとステップＳ３へ戻す。
【００４２】
ステップＳ５において、データ制御部３４は、データ演算部３３に開閉回数をカウントアップさせ、ステップＳ６へ移行する。
【００４３】
ステップＳ６において、データ制御部３４は、開閉回数が所定数を「超えたか」を判断して、「超えた」と判断するとステップＳ７へ移行し、「超えてない」と判断するとステップＳ３へ戻す。
【００４４】
ステップＳ７において、データ制御部３４は、データ表示部３６に所定の警報を表示させ、ステップＳ８へ移行する。
【００４５】
ステップＳ８において、データ制御部３４は、データ演算部３３に時間計測および開閉回数をリセットさせ、ステップＳ１へ移行する。
【００４６】
図５は、データ表示部３６が表示した開閉履歴の一例である。データ表示部３６は、開閉日時を日時エリア３６ａに、この開閉日時に対応した開閉状態を状態エリア３６ｂに表示する。また、ドアの開閉回数が所定数を越えた場合の警報表示３６ｃは、日時エリア３６ａまたは状態エリア３６ｂでの文字を反転することで表示する。
【００４７】
以上の構成によって、本体ユニット３０は、操作パネルのドア４０での開閉履歴を表示し、開閉回数が所定数を超えると所定の警報を表示する。
【００４８】
以上、本発明の最適な実施形態について説明したのだが、本発明は、上記の実施形態に限らず、要旨を逸脱しない範囲でさまざまな改変を施すことができる。また、この実施形態は、農作物育成支援システムでのデータ収集装置の適用事例であったのだけれども、農作物育成支援システムに限らず、広く一般の、屋外の環境情報を収集するデータ収集装置に適用することができる。
【００４９】
なお、「課題を解決するための手段」では、操作パネルの開閉自在なドア４０が開閉構造部に、ドア開閉センサ３９が検知手段に、データ記憶部３５が記憶手段に、データ表示部３６が表示手段に、データ演算部３３が演算手段にそれぞれ対応する。
【図面の簡単な説明】
【００５０】
【図１】本発明に係るデータ収集装置を備えた農作物育成支援システムの、全体構成を示すブロック図である。
【図２】本発明を適用したデータ収集装置の、外観を示す斜視図である。
【図３】データ収集装置における本体ユニットの主体構成を機能別に示したブロック図である。
【図４】本体ユニットにおけるドアの開閉回数が所定数を越えた場合の警報処理を示すフローチャートである。
【図５】本体ユニットのデータ表示部が表示した開閉履歴の一例を示す図である。
【符号の説明】
【００５１】
１    農作物育成支援システム
２    クライアント端末
３    データ収集装置
４    集計解析サーバ
５    電気通信回線
６    カメラ・ユニット
７    温度・湿度センサ
３０    本体ユニット
３０ａ  支柱
３１    センサＩ／Ｆ部
３２    データ収集部
３３    データ演算部
３４    データ制御部
３５    データ記憶部
３６    データ表示部
３６ａ  日時エリア
３６ｂ  状態エリア
３６ｃ  警報表示
３７    無線通信制御部
３８    無線通信部
３９    ドア開閉センサ
４０    ドア
６０    カメラ
７０    温度・湿度センサ
７１    土壌温度センサ
７２    土壌水分センサ
７３    土壌ＥＣセンサ
７４    日射量センサ
７５    ＣＯ２センサ
【図１】
2008304199.tif 000003
【図２】
2008304199.tif 000004
【図３】
2008304199.tif 000005
【図４】
2008304199.tif 000006
【図５】
2008304199.tif 000007